(57)【要約】【課題】  配管の軸方向変位を拘束せず、かつ、配管取付部材へのボルト用穴の穿設やボルト用穴を穿設したプレートの溶接を不要にして配管の据付作業を効率的に行い得るようにした配管用Ｕボルトを提供する。【解決手段】  配管１が挿入される湾曲部３ａと湾曲部３ａの両端部から延びる腕部３ｂとを有するボルト本体３と、ボルト本体３の腕部３ｂに固定される一端部と配管取付部材２の裏面に引っ掛かる他端部とを有しボルト本体３の両先端部を配管取付部材２に付勢する一対のクリップ部材６と、一対のクリップ部材６のそれぞれの一端部を、クリップ部材６の付勢力が発生し得るようにボルト本体３の腕部３ｂに対し位置調節して固定する一対の固定部材８とを備えるようにした。【選択図】  図１
2005240900.tif 000002
【特許請求の範囲】
【請求項１】
配管を配管取付部材に取り付けるための配管用Ｕボルトであって、
配管が挿入される湾曲部と該湾曲部の両端部から延びる腕部とを有するボルト本体と、
前記ボルト本体の腕部に固定される一端部と前記配管取付部材の裏面に引っ掛かる他端部とを有し前記ボルト本体の両先端部を前記配管取付部材に付勢する一対のクリップ部材と、
該一対のクリップ部材のそれぞれの一端部を、該クリップ部材の付勢力が発生し得るようにボルト本体の腕部に対し位置調節して固定する一対の固定部材と、を備えることを特徴とする配管用Ｕボルト。
【請求項２】
前記ボルト本体の腕部には雄ネジ部が形成され、
前記クリップ部材の一端部は、ボルト本体の腕部が貫通する貫通孔を有し、
前記固定部材は、ボルト本体の雄ネジ部に螺合してクリップ部材の一端部を狭持する２つのナットからなり、
該２つのナットを回転させてクリップ部材の一端部の固定位置を調節することにより該クリップ部材の付勢力を発生させるように構成した、ことを特徴とする請求項１に記載の配管用Ｕボルト。
【請求項３】
前記固定部材は、外周部に雄ネジ部を有し、ボルト本体の腕部に対して軸方向変位が拘束されかつボルト本体の腕部の軸心を中心に回転可能に取り付けられた部材であり、
前記クリップ部材の一端部には、該固定部材の雄ネジ部に螺合する雌ネジ部が形成され、
前記固定部材を回転させてクリップ部材の一端部の固定位置を調節することにより該クリップ部材の付勢力を発生させるように構成した、ことを特徴とする請求項１に記載の配管用Ｕボルト。
【請求項４】
前記ボルト本体の腕部には雄ネジ部が形成され、
前記固定部材は、前記ボルト本体の雄ネジ部に螺合し、かつ前記クリップ部材の一端部に回転可能に取り付けられた部材であり、
該固定部材を回転させてクリップ部材の一端部の固定位置を調節することにより該クリップ部材の付勢力を発生させるように構成した、ことを特徴とする請求項１に記載の配管用Ｕボルト。
【請求項５】
前記ボルト本体の両先端部は先鋭に形成されている、ことを特徴とする請求項１乃至４のいずれかに記載の配管用Ｕボルト。
【発明の詳細な説明】
【技術分野】
【０００１】
本発明は、原子力プラントその他各種プラント類において配管の据付作業に適用される配管用Ｕボルトに関する。
【背景技術】
【０００２】
各種配管を原子力プラント等の構築物に据え付ける場合、Ｈ型鋼等の配管取付部材に固定するために、配管用Ｕボルトが使用される。図７は、従来の配管用Ｕボルトの構成を示しており、同図に示すように、ボルト本体５３の湾曲部に配管５１を挿入し、配管取付部材５２に穿設されたボルト用穴５４に貫通させ、配管取付部材５２の裏側からボルト本体５３の先端部の雄ネジ部５５に締付ナット５６を螺合させて固定している。また、図示しないが、ボルト用穴を予め穿設したプレートを配管取付部材５２に溶接し、同様にして締付ナット５６により固定することもある。
【０００３】
図８は、従来の配管用Ｕボルトの他の構成を示すものであり、同図に示すように、ボルト本体５３の配管５１側にロックナット５７を螺合させておき、配管５１とボルト本体５３との隙間ｔが規定値となるよう隙間管理を行っている。
【０００４】
なお、これらの配管用Ｕボルトに関する従来技術は、下記特許文献１〜４に開示されている。
【０００５】
【特許文献１】実公昭６３−１２２９６号広報
【特許文献２】特開平１０−１８５００１号広報
【特許文献３】特開平１０−２１３１１８号広報
【特許文献４】特開２００３−０４９９６９号広報
【発明の開示】
【発明が解決しようとする課題】
【０００６】
高熱環境下で用いられる配管においては、配管の熱膨張が生じるため、配管取付部材に固定する場合に、配管用Ｕボルトで配管を完全に押さえつけてしまわず若干隙間をあけて、配管が軸方向に変位できるようにする必要がある。図７の配管用Ｕボルトは、締付ナット５６の締め込みすぎにより、配管５１の軸方向の変位を拘束するという問題がある。そこで、図８の配管用Ｕボルトは、ロックナット５７により配管５１とボルト本体５３との隙間ｔが規定値となるように隙間管理を行うようにしたものである。
【０００７】
ところが、上述したように、図７及び図８の配管用Ｕボルトは、予め配管取付部材５２にボルト用穴５６を穿設するか、ボルト用穴を穿設したプレートを溶接する必要があり、いずれにしてもボルト本体５３を貫通させるためのボルト用穴５６が必要であった。このため、予め配管取付部材５２に穴を穿設するタイプでは、作業現場において穴の位置が合わなかったり、穴の穿設を失念したりする等のトラブルが発生していた。また、プレートを溶接するタイプでは、穴の位置の不適合や穿設の失念等のトラブルは解消できるが、溶接という別の作業の追加により作業が煩雑となるという問題が発生していた。
【０００８】
本発明は上述した従来の問題点を解決するために創案されたものである。すなわち、本発明の目的は、配管の軸方向変位を拘束せず、かつ、配管取付部材へのボルト用穴の穿設やボルト用穴を穿設したプレートの溶接を不要にして配管の据付作業を効率的に行い得るようにした配管用Ｕボルトを提供することにある。
【課題を解決するための手段】
【０００９】
上記本発明の目的を達成するため、本発明の配管用Ｕボルトは、配管を配管取付部材に取り付けるための配管用Ｕボルトであって、配管が挿入される湾曲部と該湾曲部の両端部から延びる腕部とを有するボルト本体と、前記ボルト本体の腕部に固定される一端部と前記配管取付部材の裏面に引っ掛かる他端部とを有し前記ボルト本体の両先端部を前記配管取付部材に付勢する一対のクリップ部材と、該クリップ部材のそれぞれの一端部を、該クリップ部材の付勢力が発生し得るようにボルト本体の腕部に対し位置調節して固定する一対の固定部材と、を備えることを特徴としている（請求項１）。
【００１０】
本発明によれば、ボルト本体をクリップ部材の付勢力により配管取付部材に固定するようにし、固定部材によりクリップ部材の付勢力を調節するようにしたため、従来のようなボルト用穴を穿設したり、ボルト用穴を穿設したプレートを溶接したりする必要がない。これにより、配管の据付作業が簡易、迅速かつ的確に行うことができ、作業の効率性が大幅に向上することとなる。
【００１１】
また、ボルト本体の両先端部が配管取付部材の天端に当接して固定されたるめ、ボルト本体の湾曲部内側と配管取付部材の上面との距離が不変となる。これにより、配管とＵボルトと間に一定の隙間を保持することができるため、配管の軸方向の変位が拘束されることがない。
【００１２】
また、上記本発明において、好ましくは、前記ボルト本体の腕部には雄ネジ部が形成され、前記クリップ部材の一端部は、ボルト本体の腕部が貫通する貫通孔を有し、前記固定部材は、ボルト本体の雄ネジ部に螺合してクリップ部材の一端部を狭持する２つのナットからなり、該２つのナットを回転させてクリップ部材の一端部の固定位置を調節することにより該クリップ部材の付勢力を発生させるように構成する（請求項２）。
【００１３】
かかる構成により、簡易な構造で、クリップ部材の一端部の固定位置を調節してクリップ部材の付勢力を発生させることができるため、Ｕボルトの製作が容易となる。
【００１４】
また、上記本発明において、好ましくは、前記固定部材は、外周部に雄ネジ部を有し、ボルト本体の腕部に対して軸方向変位が拘束されかつボルト本体の腕部の軸心を中心に回転可能に取り付けられた部材であり、前記クリップ部材の一端部には、該固定部材の雄ネジ部に螺合する雌ネジ部が形成され、前記固定部材を回転させてクリップ部材の一端部の固定位置を調節することにより該クリップ部材の付勢力を発生させるように構成する（請求項３）。
また、上記本発明において、好ましくは、前記ボルト本体の腕部には雄ネジ部が形成され、前記固定部材は、前記ボルト本体の雄ネジ部に螺合し、かつ前記クリップ部材の一端部に回転可能に取り付けられた部材であり、該固定部材を回転させてクリップ部材の一端部の固定位置を調節することにより該クリップ部材の付勢力を発生させるように構成する（請求項４）。
【００１５】
かかる構成により、固定部材を回転させるだけでクリップ部材の一端部の固定位置を調節してクリップ部材の付勢力を発生させることができるため、Ｕボルトの配管取付部材への固定を簡単かつ迅速に行うことができる。
【００１６】
また、上記本発明において、好ましくは、前記ボルト本体の両先端部は先鋭に形成されている。
【００１７】
配管取付部材に当接するボルト本体の両先端部を先鋭にすることにより、クリップ部材の付勢力によりボルト本体の先端部が配管取付部材の表面に食い込むことが期待できる。これにより、配管取付部材への固定強度を向上させることができる。
【発明の効果】
【００１８】
上述したように本発明の配管用Ｕボルトによれば、配管の軸方向変位を拘束せず、かつ、配管取付部材へのボルト用穴の穿設やボルト用穴を穿設したプレートの溶接を不要にして配管の据付作業を効率的に行うことができるという優れた効果が得られる。
【発明を実施するための最良の形態】
【００１９】
以下、本発明の好適な実施の形態を添付図面に基づいて詳細に説明する。なお、各図において、同一部分には同一符号を付し、重複した説明を省略する。
【００２０】
図１は、本発明の第１の実施形態による配管用Ｕボルトの構成を示すものであり、（ｂ）は（ａ）のＸ方向矢視図である。同図に示すように、配管１は、配管用Ｕボルト１０により、配管取付部材２に取り付けられる。この配管用取付部材２は、例えばＴ型やＨ型鋼である。配管用Ｕボルト１０は、ボルト本体３と、一対のクリップ部材６と、一対の固定部材８とを備えて構成されている。
【００２１】
ボルト本体３は、配管１が挿入される湾曲部３ａと、湾曲部３ａの両端部から直線的に延びる腕部３ｂとを有しており、腕部６ｂの外周部には雄ネジ部１１が形成されている。また、その両先端部は先鋭に形成されている。ボルト本体３の腕部３ｂの長さは、ボルト本体３ａと配管１との隙間ｔが規定値となるように設定される。
【００２２】
クリップ部材６は、断面コ字型の部材であり、一端部がボルト本体３の腕部３ｂに固定され、他端部が配管取付部材２の裏面に引っ掛かるように形成されており、ボルト本体３の先端部を配管取付部材２に付勢する機能をもつ。クリップ部材６の一端部には、ボルト本体３の腕部３ｂが貫通する貫通孔９が設けられており、他端部の配管取付部材２の裏面に当接する部分の面は、当該裏面との摩擦力が大きくなるように粗く形成されている。クリップ部材の材質としては、例えば適度の弾性力を有する金属が用いられる。
【００２３】
固定部材８は、ボルト本体３の腕部３ｂの雄ネジ部１１に螺合する２つのナット（上部ナット８ａ、下部ナット８ｂ）とからなり、上部ナット８ａと下部ナット８ｂとによりクリップ部材６の一端部を狭持している。
【００２４】
図２は、本実施形態による配管用Ｕボルト１０を用いて配管１を配管取付部材２に取り付ける手順を説明する図である。まず、ボルト本体３の湾曲部３ａに配管１を挿入し、クリップ部材６を配管取付部材２のフランジ部に差し込んだ状態で、図２（ａ）のように、上部ボルト８ａを回転させて上方に移動させる。
【００２５】
次に、同図（ｂ）に示すように、ボルト本体３の先端部が配管取付部材２の上面に当接し、クリップ部材６の他端部が配管取付部材２の裏面（下面）に当接し、かつ上部ナット８ａがクリップ部材６の一端部よりわずかに上方に位置するように上部ボルト８ａの位置を調節する。
【００２６】
最後に、同図（ｃ）に示すように、下部ナット８ｂを回転させて上方に移動させていき、クリップ部材６の一端部を上部ナット８ａとの間で挟み込む。これにより、クリップ部材６は拡げられるため、その弾性力によりボルト本体３を配管取付部材２に付勢する力（付勢力）が発生し、ボルト本体３を配管取付部材２に固定することができる。
【００２７】
このように、本発明の第１の実施形態によれば、ボルト本体３をクリップ部材６の付勢力により配管取付部材２に固定するようにし、固定部材８によりクリップ部材６の付勢力を調節するようにしたため、従来のようなボルト用穴を穿設したり、ボルト用穴を穿設したプレートを溶接したりする必要がない。これにより、配管１の据付作業が簡易、迅速かつ的確に行うことができ、作業の効率性が大幅に向上することとなる。また、ボルト本体３の両先端部が配管取付部材２の上面に当接して固定されため、ボルト本体３の湾曲部３ａ内側と配管取付部材２の上面との距離が不変となる。これにより、配管１とボルト本体３と間に一定の隙間（図１の隙間ｔ）を保持することができるため、配管１の軸方向の変位が拘束されることがない。また、固定部材８は、２つのナット（上部ナット８ａ、下部ナット８ｂ）からなるので、簡単な構造で、クリップ部材６の一端部の固定位置を調節してクリップ部材６の付勢力を発生させることができるため、Ｕボルトの製作が容易となる。さらに、配管取付部材２に当接するボルト本体３の両先端部を先鋭にすることにより、クリップ部材６の付勢力によりボルト本体３の先端部が配管取付部材２の表面に食い込むことが期待できる。これにより、配管取付部材２への固定強度を向上させることができる。
【００２８】
次に、本発明の第２の実施形態による配管用Ｕボルトについて説明する。図３は、本発明の第２の実施形態による配管用Ｕボルトの構成を示すものである。同図に示すように、本実施形態による配管用Ｕボルト１０の基本的構成は、ボルト本体３と、固定部材８と、クリップ部材６をと備えているものであり、この点については上述した第１の実施形態と同様である。
【００２９】
ボルト本体３の腕部３ｂは、断面円形であり、その一部に径方向外方に凸状態で周方向に延びて形成された鍔状部１６が形成されている。
【００３０】
固定部材８は、中空円筒形をなし、その外周部に雄ネジ部１２が形成され、内周部に腕部３ｂの鍔状部１６に対応する形状の凹部が周方向に延びて形成されている。これにより、固定部材８は、ボルト本体３の腕部３ｂに対して軸方向変位が拘束され、かつ腕部３ｂの軸心Ｚを中心に回転可能に取り付けられる。
【００３１】
クリップ部材６の一端部には固定部材８の雄ネジ部１２に螺合する雌ネジ部１８が形成されている。
【００３２】
配管用Ｕボルト１０は、更に、緩み止め部材として、固定部材８の雄ネジ部１２に螺合する補助ナット１９を備えている。この補助ナット１９は、クリップ部材６の一端部よりも下側で固定部材８の雄ネジ部１２と螺合している。その他の構成は第１の実施形態と同様である。
【００３３】
図４は、本実施形態による配管用Ｕボルト１０を用いて配管１を配管取付部材２に取り付ける手順を説明する図である。まず、同図（ａ）に示すように、固定部材８を回転させてクリップ部材６の腕部３ｂに対する固定位置を調節し、ボルト本体３の先端部とクリップ部材６の他端部上面との間隔を拡げた状態にして、クリップ部材６を配管取付部材２のフランジ部に差し込む。
【００３４】
次に、同図（ｂ）に示すように、固定部材８を回転させて、ボルト本体３の先端部が配管取付部２の上面に当接し、かつクリップ部材６の他端部が配管取付部材の裏面（下面）に当接するように、クリップ部材６の一端部の固定位置を調節する。このとき、ボルト本体３を配管取付部材２に付勢する力がある程度発生するまで固定部材８を回転させ、クリップ部材６の一端部の固定位置を調節する。これにより、クリップ部材６は拡げられるため、その弾性力によりボルト本体３を配管取付部材２に付勢する力（付勢力）が発生し、ボルト本体３を配管取付部材２に固定することができる。
【００３５】
最後に、同図（ｃ）に示すように、補助ナット１９を回転させてクリップ部材６の一端部の位置まで上げて締め付ける。これにより、固定部材８が、クリップ部材６の付勢力が緩まる方向へ回転するのを防止できることとなり、ボルト本体３の配管取付部材２への固定を確実に保持できる。
【００３６】
このように、本発明の第２の実施の形態によれば、第１の実施形態による効果に加え、固定部材８を回転させるだけでクリップ部材６の一端部の固定位置を調節してクリップ部材６の付勢力を発生させることができるため、Ｕボルトの配管取付部材２への固定を簡単かつ迅速に行うことができる。
【００３７】
次に、本発明の第３の実施形態による配管用Ｕボルトについて説明する。図５は、本発明の第３の実施形態による配管用Ｕボルトの構成を示すものである。同図に示すように、本実施形態による配管用Ｕボルト１０の基本的構成は、ボルト本体３と、固定部材８と、クリップ部材６とを備えているものであり、この点については上述した第１の実施形態と同様である。
【００３８】
ボルト本体３の腕部３ｂは、断面円形であり、その外周部には雄ネジ部１３が形成されている。
【００３９】
固定部材８には、腕部３ｂの雄ネジ部１３と螺合する雌ネジ部２１が形成され、その外周部には周方向に延びる溝部２４が形成されており、腕部３ｂの軸心Ｚを中心に回転することにより、腕部３ｂに対して上下方向に移動可能になっている。
【００４０】
クリップ部材６の一端部には固定部材８の溝部２４に嵌るように形成された円形の穴が形成されており、この穴の内周縁部が溝部２４に嵌って、固定部材８が回転可能に取り付けられている。
【００４１】
配管用Ｕボルト１０は、更に、緩み止め部材として、腕部３ｂの雄ネジ部１２に螺合する補助ナット２３を備えている。この補助ナット２３は、クリップ部材６の一端部よりも下側で腕部３ｂの雄ネジ部１１と螺合している。その他の構成は第１の実施形態と同様である。
【００４２】
図６は、本実施形態による配管用Ｕボルト１０を用いて配管１を配管取付部材２に取り付ける手順を説明する図である。まず、同図（ａ）に示すように、固定部材８を回転させてクリップ部材６の腕部３ｂに対する固定位置を調節し、ボルト本体３の先端部とクリップ部材６の他端部上面との間隔を拡げた状態にして、クリップ部材６を配管取付部材２のフランジ部に差し込む。
【００４３】
次に、同図（ｂ）に示すように、固定部材８を回転させて、ボルト本体３の先端部が配管取付部２の上面に当接し、かつクリップ部材６の他端部上面が配管取付部材２の裏面（下面）に当接するように、クリップ部材６の一端部の固定位置を調節する。このとき、ボルト本体３を配管取付部材２に付勢する力がある程度発生するまで固定部材８を回転させ、クリップ部材６の一端部の固定位置を調節する。これにより、クリップ部材６は拡げられるため、その弾性力によりボルト本体３を配管取付部材２に付勢する力（付勢力）が発生し、ボルト本体３を配管取付部材２に固定することができる。
【００４４】
最後に、同図（ｃ）に示すように、補助ナット２３を回転させてクリップ部材６の一端部の位置まで上げて締め付ける。これにより、固定部材８が、クリップ部材６の付勢力が緩まる方向へ回転するのを防止できることとなり、ボルト本体３の配管取付部材２への固定を確実に保持できる。
【００４５】
このように、本発明の第３の実施の形態によれば、第１の実施形態による効果に加え、固定部材８を回転させるだけでクリップ部材６の一端部の固定位置を調節してクリップ部材６の付勢力を発生させることができるため、Ｕボルトの配管取付部材２への固定を簡単かつ迅速に行うことができる。
【００４６】
なお、上述した第２及び第３の実施形態では、緩み止め部材として補助ナット１９及び２３を用いたが、これに限定されず、固定部材８のクリップ部材６の付勢力が緩まる方向への回転を拘束し得るものであれば、他の構成を採用してもよい。
【００４７】
その他、本発明は上述した実施形態に限定されず、本発明の要旨を逸脱しない範囲で種々変更を加え得ることは勿論である。
【図面の簡単な説明】
【００４８】
【図１】本発明の第１の実施形態を示す構成図である。
【図２】図１の配管用Ｕボルトの取付け手順を説明する図である。
【図３】本発明の第２の実施形態を示す構成図である。
【図４】図３の配管用Ｕボルトの取付け手順を説明する図である。
【図５】本発明の第３の実施形態を示す構成図である。
【図６】図５の配管用Ｕボルトの取付け手順を説明する図である。
【図７】従来の配管用Ｕボルトの構成図である。
【図８】従来の配管用Ｕボルトの別の構成図である。
【符号の説明】
【００４９】
１  配管
２  配管取付部材
３  ボルト本体
３ａ  湾曲部
３ｂ  腕部
６  クリップ部材
８  固定部材
８ａ  上部ナット
８ｂ  下部ナット
９  貫通孔
１０  配管用Ｕボルト
１１，１２，１３  雄ネジ部
１６  鍔状部
１８，２１  雌ネジ部
１９，２３  緩み止め部材（補助ナット）
【図１】
2005240900.tif 000003
【図２】
2005240900.tif 000004
【図３】
2005240900.tif 000005
【図４】
2005240900.tif 000006
【図５】
2005240900.tif 000007
【図６】
2005240900.tif 000008
【図７】
2005240900.tif 000009
【図８】
2005240900.tif 000010